(57)【要約】      （修正有）【課題】良好な処理効率とユーザにおける処理の簡便さとを図り、ユーザ間の情報共有やコミュニケーションの活性化を支援可能とする。【解決手段】コンテンツサーバ２００からコンテンツエントリ等を収集しメモリに格納する情報収集部１１０と、テーマ情報データベース１２５と、収集した前記コンテンツエントリ等をテーマ情報データベース１２５における各テーマ情報と照合し類似性を判断する第１の情報類似性判定部１１１と、類似性判断により類似性があると判定された場合に前記コンテンツエントリ等への参照用情報を含む新エントリを生成し該当テーマに対応付けされた所定のコンテンツサーバ２５０に登録するコンテンツ登録部１１２と、新エントリの起源となるコンテンツエントリと新エントリ登録先のコンテンツサーバ２５０と該当テーマとの対応関係の情報を登録コンテンツ管理情報データベース１２６に格納する登録コンテンツ管理部１１３、とを備える。【選択図】図１
2007122504.tif 000002
【特許請求の範囲】
【請求項１】
ブログなどのコンテンツのエントリを格納してコンテンツエントリまたはサマリー情報を配信する１または複数のコンテンツサーバとネットワークで接続された、ポータルサーバであって、
前記コンテンツサーバから、前記コンテンツエントリまたはサマリー情報を収集し、適宜なメモリに格納する情報収集部と、
キーワードで定義される所定テーマの情報を格納するテーマ情報データベースと、
前記情報収集部が収集した前記コンテンツエントリまたはサマリー情報を前記メモリより読み出して、前記テーマ情報データベースにおける各テーマ情報と照合し、両者の類似性を判断する第１の情報類似性判定部と、
前記情報収集部が収集した前記コンテンツエントリまたはサマリー情報と前記テーマ情報との照合による両者の類似性判断により、両者に一定レベル以上の類似性があると判定された場合、前記情報収集部が収集した前記コンテンツエントリまたはサマリー情報への参照用情報を含む新エントリを生成し、これを該当テーマに対応付けされた所定のコンテンツサーバに登録する、コンテンツ登録部と、
前記新エントリの起源となるコンテンツエントリと、前記新エントリ登録先のコンテンツサーバと、該当テーマとの対応関係の情報を、登録コンテンツ管理情報データベースに格納する、登録コンテンツ管理部と、
を備える情報閲覧支援装置。
【請求項２】
請求項１において、
前記コンテンツ登録部は、前記テーマに対応付けされた所定のコンテンツサーバの既存のエントリに対するトラックバックとして、前記情報収集部が収集したコンテンツエントリまたはサマリー情報への参照用情報を、前記所定のコンテンツサーバに登録する、ものであることを特徴とする情報閲覧支援装置。
【請求項３】
請求項１において、
前記コンテンツ登録部は、前記テーマに対応付けされた所定のコンテンツサーバの既存のエントリに対するコメントとして、前記情報収集部が収集したコンテンツエントリまたはサマリー情報への参照用情報を、前記所定のコンテンツサーバに登録する、ものであることを特徴とする情報閲覧支援装置。
【請求項４】
請求項１〜３のいずれかにおいて、
コンテンツの閲覧者と閲覧者毎に定めたテーマ情報との対応関係の情報を格納する閲覧者関連テーマ情報データベースと、
前記閲覧者関連テーマ情報データベースと前記登録コンテンツ管理情報データベースとに基づいて、前記閲覧者毎に定めたテーマと一致するテーマが関連づけされている前記所定のコンテンツサーバを特定して、当該コンテンツサーバにおける前記参照用情報を抽出し、この参照用情報を少なくとも含んだ閲覧支援用の画面データを閲覧者毎に生成し、これを適宜なメモリに格納する閲覧支援情報生成部と、
を備えることを特徴とする情報閲覧支援装置。
【請求項５】
請求項４において、
閲覧者毎の識別情報が格納されたユーザデータベースと、
ネットワークで接続されたクライアントを通じた閲覧者からの要求と前記ユーザデータベースとに基づき、閲覧者の識別処理を実行する、閲覧者識別部と、
前記識別処理により識別された閲覧者について、前記メモリより該当する閲覧支援用画面データを抽出し、これを該当クライアントに配信する、配信処理部と、
を備えることを特徴とする情報閲覧支援装置。
【請求項６】
請求項４または５において、
閲覧者と該閲覧者が閲覧したコンテンツエントリの履歴との対応関係の情報を保持する閲覧履歴情報データベースと、
前記閲覧履歴情報データベースの履歴情報から識別されるコンテンツエントリから、当該コンテンツエントリに含まれるキーワードを抽出する、キーワード抽出部と、
前記テーマ情報のキーワードと、前記コンテンツエントリより抽出したキーワードとを照合し、その類似性を判定する第２の情報類似性判定部と、
前記キーワード同士に類似性があると判定された場合、類似性があると判定されたキーワードに対応するテーマと前記閲覧者との関連を前記閲覧者関連テーマ情報データベースに登録する、テーマ自動登録部と、
を備えることを特徴とする情報閲覧支援装置。
【請求項７】
請求項４または５において、
前記閲覧者関連テーマ情報データベースが、コンテンツの閲覧者および閲覧者の特性情報と閲覧者毎に定めたテーマ情報と、の対応関係の情報を格納するものであり、
前記クライアントに配信された閲覧支援用画面データを通じて閲覧者が前記所定のコンテンツサーバのコンテンツを要求した場合、前記登録コンテンツ管理情報データベースに基づいて該当コンテンツを前記所定のコンテンツサーバから収集し、閲覧者のクライアントに配信するとともに、前記閲覧者関連テーマ情報データベースから抽出した前記閲覧者の特性情報を含む情報を前記閲覧者が要求したコンテンツを管理する前記所定のコンテンツサーバに登録する、特性情報登録部を備えることを特徴とする情報閲覧支援装置。
【請求項８】
請求項７において、
前記所定のコンテンツサーバに登録する閲覧者の特性情報は、当該閲覧者の連絡先を含むものであることを特徴とする情報閲覧支援装置。
【請求項９】
請求項７において、
前記所定のコンテンツサーバに登録する閲覧者の特性情報は、当該閲覧者に対応付けされたテーマの情報を含むものであることを特徴とする情報閲覧支援装置。
【請求項１０】
請求項７において、
前記所定のコンテンツサーバに登録する閲覧者の特性情報は、当該閲覧者の閲覧履歴から抽出されたキーワードを含むものであることを特徴とする情報閲覧支援装置。
【請求項１１】
請求項７において、
前記所定のコンテンツサーバのエントリを収集し、該所定のコンテンツサーバの複数のエントリ間の類似性を判定する第３の情報類似性判定部を備え、
前記コンテンツ登録部が、前記エントリ間に類似性があると判定された場合に、当該複数のエントリのそれぞれへの参照用情報を含む新エントリを生成し、所定のコンテンツサーバに登録するものである、ことを特徴とする情報閲覧支援装置。
【請求項１２】
請求項１１において、
前記第３の情報類似性判定部は、各エントリに含まれる参照用情報を用いて類似性の判定を行うものであることを特徴とする情報閲覧支援装置。
【請求項１３】
請求項１１において、
前記第３の情報類似性判定部は、各エントリに登録された閲覧者の特性情報を用いて類似性の判定を行うものであることを特徴とする情報閲覧支援装置。
【発明の詳細な説明】
【技術分野】
【０００１】
本発明は、情報閲覧支援装置に関し、特に、例えばインターネット上の情報などのコンテンツの効率的な閲覧を支援するポータルサイト機能を提供する装置、及び方法に関するものである。
【背景技術】
【０００２】
従来、ユーザの個人情報や嗜好情報に基づき、インターネット上のユーザ間のコミュニケーションの活性化を支援する方法、装置、ユーザのグループ形成を支援する方法、装置が知られており、例えば、情報を閲覧するために複数のユーザによって共用される装置であって、それらのユーザ間のコミュニケーションの活性化が図れる情報閲覧支援装置を、提供するとの課題の下、複数のユーザの中のいずれかのユーザによって入力された、該ユーザに適した情報を検索するための条件を、該ユーザに関する前記第１検索条件情報として設定する第１検索条件情報設定ステップと、前記複数のユーザの中のいずれかのユーザによって他のユーザを指定した形で入力された、当該他のユーザに適した情報を検索するための条件を、当該他のユーザに関する第２検索条件情報として設定する第２検索条件情報設定ステップと、複数の情報要素を含む閲覧対象情報の中から、或るユーザに対して、前記第１検索条件情報設定ステップにより設定された前記第１検索条件情報と前記第２検索条件情報設定ステップにより設定された前記第２検索条件情報とに応じて情報要素を検索する情報検索ステップと、前記情報検索ステップによる前記或るユーザについての検索結果に応じた情報を、該或るユーザに提示する情報提示ステップとを含むことを特徴とする情報閲覧支援方法（特許文献１参照）などが提案されている。
【０００３】
また、インターネット上でユーザが情報交換するコミュニティを自動的に形成し、コミュニティの活性化を支援し、ユーザが複数のコミュニティに属することを可能にし、コミュニティに対してサービス提供者が様々なサービスを提供することを可能にするとの課題の下、ネットワークに接続された端末装置と、前記端末装置の使用者の個人情報及び嗜好情報の内、少なくとも何れか一つの情報を含む情報を得て、少なくともその得られた情報を蓄積するための蓄積手段と、前記蓄積手段に蓄積された情報の全部または一部を、所定の分類基準に基づいて、単数または複数のグループに分類するための分類手段と、前記ユーザと前記蓄積された情報との所定の関係に基づいて、前記分類されたグループの中から前記ユーザの属すべき前記グループを決定し、その決定の結果を前記ユーザに通知するための決定・通知手段と、を備えたグループ形成システム（特許文献２参照）なども提案されている。
【特許文献１】特開２００２−３５１９１４号公報
【特許文献２】特開２００２−２４５２１２号公報
【発明の開示】
【発明が解決しようとする課題】
【０００４】
しかしながら従来においては、ユーザ間での情報共有を確立しようとすれば、ユーザが所定サイト等において主体的な情報発信を行う必要があったり、或いは情報共有に必要な情報の通知をユーザに対して行うといった作業が必要となり、処理効率やユーザの手間といった点で問題が残されていた。
【０００５】
そこで本発明は上記課題を鑑みてなされたものであり、良好な処理効率とユーザにおける処理の簡便さとを図り、ユーザ間の情報共有やコミュニケーションの活性化を支援可能とする、情報閲覧支援装置を提供することを主たる目的とする。
【課題を解決するための手段】
【０００６】
上記課題を解決する本発明の情報閲覧支援装置は、ブログなどのコンテンツのエントリを格納してコンテンツエントリまたはサマリー情報を配信する１または複数のコンテンツサーバとネットワークで接続された、ポータルサーバであって、前記コンテンツサーバから、前記コンテンツエントリまたはサマリー情報を収集し、適宜なメモリに格納する情報収集部と、キーワードで定義される所定テーマの情報を格納するテーマ情報データベースと、前記情報収集部が収集した前記コンテンツエントリまたはサマリー情報を前記メモリより読み出して、前記テーマ情報データベースにおける各テーマ情報と照合し、両者の類似性を判断する第１の情報類似性判定部と、前記情報収集部が収集した前記コンテンツエントリまたはサマリー情報と前記テーマ情報との照合による両者の類似性判断により、両者に一定レベル以上の類似性があると判定された場合、前記情報収集部が収集した前記コンテンツエントリまたはサマリー情報への参照用情報を含む新エントリを生成し、これを該当テーマに対応付けされた所定のコンテンツサーバに登録する、コンテンツ登録部と、前記新エントリの起源となるコンテンツエントリと、前記新エントリ登録先のコンテンツサーバと、該当テーマとの対応関係の情報を、登録コンテンツ管理情報データベースに格納する、登録コンテンツ管理部と、を備える。
【０００７】
また、本発明の情報閲覧支援装置において、前記コンテンツ登録部は、前記テーマに対応付けされた所定のコンテンツサーバの既存のエントリに対するトラックバックとして、前記情報収集部が収集したコンテンツエントリまたはサマリー情報への参照用情報を、前記所定のコンテンツサーバに登録する、ものであるとすれば好適である。
【０００８】
また、本発明の情報閲覧支援装置において、前記コンテンツ登録部は、前記テーマに対応付けされた所定のコンテンツサーバの既存のエントリに対するコメントとして、前記情報収集部が収集したコンテンツエントリまたはサマリー情報への参照用情報を、前記所定のコンテンツサーバに登録する、ものであるとすれば好適である。
【０００９】
また、本発明の情報閲覧支援装置は、コンテンツの閲覧者と閲覧者毎に定めたテーマ情報との対応関係の情報を格納する閲覧者関連テーマ情報データベースと、前記閲覧者関連テーマ情報データベースと前記登録コンテンツ管理情報データベースとに基づいて、前記閲覧者毎に定めたテーマと一致するテーマが関連づけされている前記所定のコンテンツサーバを特定して、当該コンテンツサーバにおける前記参照用情報を抽出し、この参照用情報を少なくとも含んだ閲覧支援用の画面データを閲覧者毎に生成し、これを適宜なメモリに格納する閲覧支援情報生成部と、を備えるとすれば好適である。
【００１０】
また、本発明の情報閲覧支援装置は、閲覧者毎の識別情報が格納されたユーザデータベースと、ネットワークで接続されたクライアントを通じた閲覧者からの要求と前記ユーザデータベースとに基づき、閲覧者の識別処理を実行する、閲覧者識別部と、前記識別処理により識別された閲覧者について、前記メモリより該当する閲覧支援用画面データを抽出し、これを該当クライアントに配信する、配信処理部と、を備えるとすれば好適である。
【００１１】
また、本発明の情報閲覧支援装置は、閲覧者と該閲覧者が閲覧したコンテンツエントリの履歴との対応関係の情報を保持する閲覧履歴情報データベースと、前記閲覧履歴情報データベースの履歴情報から識別されるコンテンツエントリから、当該コンテンツエントリに含まれるキーワードを抽出する、キーワード抽出部と、前記テーマ情報のキーワードと、前記コンテンツエントリより抽出したキーワードとを照合し、その類似性を判定する第２の情報類似性判定部と、前記キーワード同士に類似性があると判定された場合、類似性があると判定されたキーワードに対応するテーマと前記閲覧者との関連を前記閲覧者関連テーマ情報データベースに登録する、テーマ自動登録部と、を備えるとすれば好適である。
【００１２】
また、本発明の情報閲覧支援装置において、前記閲覧者関連テーマ情報データベースが、コンテンツの閲覧者および閲覧者の特性情報と閲覧者毎に定めたテーマ情報と、の対応関係の情報を格納するものであり、前記クライアントに配信された閲覧支援用画面データを通じて閲覧者が前記所定のコンテンツサーバのコンテンツを要求した場合、前記登録コンテンツ管理情報データベースに基づいて該当コンテンツを前記所定のコンテンツサーバから収集し、閲覧者のクライアントに配信するとともに、前記閲覧者関連テーマ情報データベースから抽出した前記閲覧者の特性情報を含む情報を前記閲覧者が要求したコンテンツを管理する前記所定のコンテンツサーバに登録する、特性情報登録部を備えるものでありとすれば好適である。
【００１３】
また、本発明の情報閲覧支援装置において、前記所定のコンテンツサーバに登録する閲覧者の特性情報は、当該閲覧者の連絡先を含むものであるとすれば好適である。
【００１４】
また、本発明の情報閲覧支援装置において、前記所定のコンテンツサーバに登録する閲覧者の特性情報は、当該閲覧者に対応付けされたテーマの情報を含むものであるとすれば好適である。
【００１５】
また、本発明の情報閲覧支援装置において、前記所定のコンテンツサーバに登録する閲覧者の特性情報は、当該閲覧者の閲覧履歴から抽出されたキーワードを含むものであるとすれば好適である。
【００１６】
また、本発明の情報閲覧支援装置は、前記所定のコンテンツサーバのエントリを収集し、該所定のコンテンツサーバの複数のエントリ間の類似性を判定する第３の情報類似性判定部を備え、前記コンテンツ登録部が、前記エントリ間に類似性があると判定された場合に、当該複数のエントリのそれぞれへの参照用情報を含む新エントリを生成し、所定のコンテンツサーバに登録するものである、とすれば好適である。
【００１７】
また、本発明の情報閲覧支援装置において、前記第３の情報類似性判定部は、各エントリに含まれる参照用情報を用いて類似性の判定を行うものであるとすれば好適である。
【００１８】
また、本発明の情報閲覧支援装置において、前記第３の情報類似性判定部は、各エントリに登録された閲覧者の特性情報を用いて類似性の判定を行うものであるとすれば好適である。
【００１９】
なお、本発明には上述した処理を実行するプログラムおよびそのプログラムを格納する媒体が含まれる。
【００２０】
その他、本願が開示する課題、及びその解決方法は、発明の実施の形態の欄、及び図面により明らかにされる。
【発明の効果】
【００２１】
本発明によれば、良好な処理効率とユーザにおける処理の簡便さとを図り、ユーザ間の情報共有やコミュニケーションの活性化が支援可能となる。
【発明を実施するための最良の形態】
【００２２】
−−−システム構成−−−
以下に本発明の実施形態について図面を用いて詳細に説明する。図１は本実施形態における情報閲覧支援装置１００を含むネットワーク構成図である。図１に示す情報閲覧支援装置１００は、ブログなどのコンテンツのエントリを格納してコンテンツエントリまたはサマリー情報を配信する１または複数のコンテンツサーバ２００とネットワークを通じて接続されたポータルサーバであり、本発明を実現する機能を備えるべく書き換え可能メモリなどのプログラムデータベース１０１に格納されたプログラム１０２をメモリ１０３に読み出し、演算装置たるＣＰＵ１０４により実行する。
【００２３】
また、前記情報閲覧支援装置１００は、コンピュータ装置が一般に備えている各種キーボードやボタン類、ディスプレイなどの入出力インターフェイス１０５、ならびに、コンテンツサーバ２００やクライアント３００などとの間のデータ授受を担う通信部１０６などを有している。
【００２４】
前記情報閲覧支援装置１００は、前記通信部１０６により、前記コンテンツサーバ２００やクライアント３００らと例えばインターネットやＬＡＮ、シリアル・インターフェース通信線などのネットワーク１４０を介して接続し、データ授受を実行する。情報閲覧支援装置１００の各種機能部と通信部１０６との間ではＩ／Ｏ部１０７がデータのバッファリングや各種仲介処理を実行している。
【００２５】
続いて、前記情報閲覧支援装置１００が、例えばプログラム１０２に基づき構成・保持する機能部につき説明を行う。前記情報閲覧支援装置１００は、前記コンテンツサーバ２００から、前記コンテンツエントリまたはサマリー情報を収集し、適宜なメモリ１０３に格納する情報収集部１１０を備える。
【００２６】
また、前記情報閲覧支援装置１００は、キーワードで定義される所定テーマの情報を格納するテーマ情報データベース１２５を備えて、前記情報収集部１１０が収集した前記コンテンツエントリまたはサマリー情報を前記メモリ１０３より読み出して、前記テーマ情報データベース１２５における各テーマ情報と照合し、両者の類似性を判断する第１の情報類似性判定部１１１を備える。
【００２７】
また、前記情報閲覧支援装置１００は、前記情報収集部１１０が収集した前記コンテンツエントリまたはサマリー情報と前記テーマ情報との照合による両者の類似性判断により、両者に一定レベル以上の類似性があると判定された場合、前記情報収集部１１０が収集した前記コンテンツエントリまたはサマリー情報への参照用情報を含む新エントリを生成し、これを該当テーマに対応付けされた所定のコンテンツサーバ２５０に登録する、コンテンツ登録部１１２を備える。
【００２８】
また、前記情報閲覧支援装置１００は、前記新エントリの起源となるコンテンツエントリと、前記新エントリ登録先のコンテンツサーバ２５０と、該当テーマとの対応関係の情報を、登録コンテンツ管理情報データベース１２６に格納する、登録コンテンツ管理部１１３を備える。
【００２９】
また、前記情報閲覧支援装置１００における前記コンテンツ登録部１１２は、前記テーマに対応付けされた所定のコンテンツサーバ２５０の既存のエントリに対するトラックバックとして、前記情報収集部１１０が収集したコンテンツエントリまたはサマリー情報への参照用情報を、前記所定のコンテンツサーバ２５０に登録するものであるとすれば好適である。
【００３０】
また、前記情報閲覧支援装置１００における前記コンテンツ登録部１１２は、前記テーマに対応付けされた所定のコンテンツサーバ２５０の既存のエントリに対するコメントとして、前記情報収集部１１０が収集したコンテンツエントリまたはサマリー情報への参照用情報を、前記所定のコンテンツサーバ２５０に登録するものであるとすれば好適である。
【００３１】
また、前記情報閲覧支援装置１００は、コンテンツの閲覧者と閲覧者毎に定めたテーマ情報との対応関係の情報を格納する閲覧者関連テーマ情報データベース１２７を備えて、前記閲覧者関連テーマ情報データベース１２７と前記登録コンテンツ管理情報データベース１２６とに基づいて、前記閲覧者毎に定めたテーマと一致するテーマが関連づけされている前記所定のコンテンツサーバ２５０を特定して、当該コンテンツサーバ２５０における前記参照用情報を抽出し、この参照用情報を少なくとも含んだ閲覧支援用の画面データを閲覧者毎に生成し、これを適宜なメモリ１０３に格納する閲覧支援情報生成部１１４を備えるとすれば好適である。
【００３２】
また、前記情報閲覧支援装置１００は、閲覧者毎の識別情報が格納されたユーザデータベース１２８と、ネットワーク１４０で接続されたクライアント３００を通じた閲覧者からの要求と前記ユーザデータベース１２８とに基づき、閲覧者の識別処理を実行する、閲覧者識別部１１５とを備えるとすれば好適である。またこのとき、情報閲覧支援装置１００は、前記識別処理により識別された閲覧者について、前記メモリ１０３より該当する閲覧支援用画面データを抽出し、これを該当クライアント３００に配信する、配信処理部１１６を備えるとすれば好適である。
【００３３】
また、前記情報閲覧支援装置１００は、閲覧者と該閲覧者が閲覧したコンテンツエントリの履歴との対応関係の情報を保持する閲覧履歴情報データベース１２９と、前記閲覧履歴情報データベース１２９の履歴情報から識別されるコンテンツエントリから、当該コンテンツエントリに含まれるキーワードを抽出する、キーワード抽出部１１７とを備えるとすれば好適である。またこのとき、情報閲覧支援装置１００は、前記テーマ情報のキーワードと、前記コンテンツエントリより抽出したキーワードとを照合し、その類似性を判定する第２の情報類似性判定部１１８と、前記キーワード同士に類似性があると判定された場合、類似性があると判定されたキーワードに対応するテーマと前記閲覧者との関連を前記閲覧者関連テーマ情報データベース１２７に登録するテーマ自動登録部１１９とを備えるとすれば好適である。
【００３４】
また、前記情報閲覧支援装置１００において、前記閲覧者関連テーマ情報データベース１２７が、コンテンツの閲覧者および閲覧者の特性情報と閲覧者毎に定めたテーマ情報と、の対応関係の情報を格納するものであるとすれば好適である。このとき、情報閲覧支援装置１００は、前記クライアント３００に配信された閲覧支援用画面データを通じて閲覧者が前記所定のコンテンツサーバ２５０のコンテンツを要求した場合、前記登録コンテンツ管理情報データベースに基づいて該当コンテンツを前記所定のコンテンツサーバから収集し、閲覧者のクライアントに配信するとともに、前記閲覧者関連テーマ情報データベース１２７から抽出した前記閲覧者の特性情報を含む情報を前記閲覧者が要求したコンテンツを管理する前記所定のコンテンツサーバ２５０に登録する、特性情報登録部１２０を備えるとすれば好適である。
【００３５】
また、前記情報閲覧支援装置１００において、前記所定のコンテンツサーバ２５０に登録する閲覧者の特性情報は、当該閲覧者の連絡先を含むものであるとすれば好適である。
【００３６】
また、前記情報閲覧支援装置１００において、前記所定のコンテンツサーバ２５０に登録する閲覧者の特性情報は、当該閲覧者に対応付けされたテーマの情報を含むものであるとすれば好適である。
【００３７】
また、前記情報閲覧支援装置１００において、前記所定のコンテンツサーバ２５０に登録する閲覧者の特性情報は、当該閲覧者の閲覧履歴から抽出されたキーワードを含むものであるとすれば好適である。
【００３８】
また、前記情報閲覧支援装置１００は、前記所定のコンテンツサーバ２５０のエントリを収集し、該所定のコンテンツサーバ２５０の複数のエントリ間の類似性を判定する第３の情報類似性判定部１２１を備えとすれば好適である。この場合、情報閲覧支援装置１００は、前記コンテンツ登録部１１２が、前記エントリ間に類似性があると判定された場合に、当該複数のエントリのそれぞれへの参照用情報を含む新エントリを生成し、所定のコンテンツサーバ２５０に登録するものであるとすれば好適である。
【００３９】
また、前記情報閲覧支援装置１００において、前記第３の情報類似性判定部１２１は、各エントリに含まれる参照用情報を用いて類似性の判定を行うものであるとすれば好適である。
【００４０】
また、前記情報閲覧支援装置１００において、前記第３の情報類似性判定部１２１は、各エントリに登録された閲覧者の特性情報を用いて類似性の判定を行うものであるとすれば好適である。
【００４１】
一方、前記コンテンツサーバ２００は、ブログなどのコンテンツのエントリを格納してコンテンツエントリまたはサマリー情報を配信するサーバであり、前記情報閲覧支援装置１００とネットワーク１４０を介して１または複数接続されている。このコンテンツサーバ２００は、一般のコンテンツサーバとして、書き換え可能メモリなどのプログラムデータベース２０１に格納されたプログラム２０２をメモリ２０３に読み出し、演算装置たるＣＰＵ２０４により実行する。また、前記コンテンツサーバ２００は、コンピュータ装置が一般に備えている各種キーボードやボタン類、ディスプレイなどの入出力インターフェイス２０５、ならびに、前記情報閲覧支援装置１００らとの間のデータ授受を担う通信部２０６などを有している。
【００４２】
前記コンテンツサーバ２００は、前記通信部２０６により、前記情報閲覧支援装置１００らと例えばインターネットやＬＡＮ、シリアル・インターフェース通信線などのネットワーク１４０を介して接続し、データ授受を実行する。端末２００の各種機能部と通信部２０６との間ではＩ／Ｏ部２０７がデータのバッファリングや各種仲介処理を実行している。
【００４３】
また、所定のコンテンツサーバ２５０は、前記コンテンツサーバ２００のうちの一つでもよいし、或いは前記テーマ毎に設定した別途独立のサーバ装置（テーマサーバ）であってもよい。そして、このコンテンツサーバ２５０は、前記情報閲覧支援装置１００やコンテンツサーバ２００らとネットワーク１４０を介して例えばテーマ毎に１または複数接続されている。いずれにせよ、当該所定のコンテンツサーバ２５０も、前記コンテンツサーバ２００と同様に、書き換え可能メモリなどのプログラムデータベース２５１に格納されたプログラム２５２をメモリ２５３に読み出し、演算装置たるＣＰＵ２５４により実行する。また、前記コンテンツサーバ２５０は、コンピュータ装置が一般に備えている各種キーボードやボタン類、ディスプレイなどの入出力インターフェイス２５５、ならびに、前記情報閲覧支援装置１００やコンテンツサーバ２００らとの間のデータ授受を担う通信部２５６などを有している。
【００４４】
前記コンテンツサーバ２５０は、前記通信部２５６により、前記情報閲覧支援装置１００やコンテンツサーバ２００らと例えばインターネットやＬＡＮ、シリアル・インターフェース通信線などのネットワーク１４０を介して接続し、データ授受を実行する。コンテンツサーバ２５０の各種機能部と通信部２５６との間ではＩ／Ｏ部２５７がデータのバッファリングや各種仲介処理を実行している。
【００４５】
また、前記クライアント３００も同様に、書き換え可能メモリなどのプログラムデータベース３０１に格納されたプログラム３０２をメモリ３０３に読み出し、演算装置たるＣＰＵ３０４により実行する。また、前記クライアント３００は、コンピュータ装置が一般に備えている各種キーボードやボタン類、ディスプレイなどの入出力インターフェイス３０５、ならびに、前記情報閲覧支援装置１００との間のデータ授受を担う通信部３０６などを有している。
【００４６】
前記クライアント３００は、前記通信部３０６により、前記情報閲覧支援装置１００と例えばインターネットやＬＡＮ、シリアル・インターフェース通信線などのネットワーク１４０を介して接続し、データ授受を実行する。クライアント３００の各種機能部と通信部３０６との間ではＩ／Ｏ部３０７がデータのバッファリングや各種仲介処理を実行している。
【００４７】
なお、上記で示したコンテンツとしてブログを想定できるが、ブログとは、別名をWeblog（ウェブログ ）と称し、日々更新される日記的なWebサイトを指すものである。このブログを構成するのが一つ一つの記事や日記を指すエントリである。このエントリの内容としては、時事ニュースや専門的トピックスに関して自らの専門や立場に根ざした分析や意見を表明したり、他のサイトの著者と議論したりする形式が多く、従来からある単なる日記サイト(著者の行動記録や身辺雑記)とは区別されることが多い。また、CMS(コンテンツマネジメントシステム)としての側面も有し、時系列にページの自動生成を行う機能や、他のサイトの記事との連携機能(トラックバック)、コメント機能などを備える。
【００４８】
前記トラックバックは、別のブログへリンクを張った際に、リンク先の相手に対してリンクを張ったことを通知する仕組みを指す。例えば、ブログ作者が別のブログの記事を参照して自身のサイトにコメントを掲載するような場合、元の記事へのリンクを張るのが一般的だが、単にリンクしただけでは元の記事の作者はどこからどうリンクされているのか容易に知ることはできない。トラックバックはリンク元サイトに「このような記事からリンクを張った」という情報を通知する仕組みで、リンク元記事のURLやタイトル、内容の要約などが送信される。トラックバックされたサイトはこの情報を元に「この記事を参照している記事一覧」を自動的に生成することができる。
【００４９】
また、相手に送信されるトラックバック通知のことを「トラックバック・ピング」(trackback ping)と呼び、通知の送信先を「トラックバックURL」(trackback URL)という。多くのウェブログの記事には隅に「この記事へのトラックバックURL」が記載されている。このトラックバック・ピングは、あるブログから別のブログの記事にリンクを張った際にサーバ間で送受信され、通知を受け取ったブログのサーバはリンク先の記事に自動的にリンク元記事への逆リンクを掲載することとなる。
【００５０】
また、前記コメントは、ブログ中のエントリに付随する「コメント」ボタンを閲覧者が押すことによって、エントリの作者(ブログの管理人)に質問や、記事に対しての感想、反論を書くことが出来る機能である。
【００５１】
また、前記コンテンツサーバ２００から、前記コンテンツエントリまたはサマリー情報を収集し、適宜なメモリに格納する情報収集部１１０は、一例としてＲＳＳリーダーを想定できる。このＲＳＳリーダーは、前記ブログなどのＷＥＢサイトを巡回して、ＲＳＳ形式の更新情報を受信し、リンク一覧の形で表示するソフトウェアである。前記ＲＳＳ(Rich Site Summary)は、ＷＥＢサイトの見出しや要約などのメタデータを構造化して記述するXMLベースのフォーマットであり、ＷＥＢサイトの更新情報を記述するのに用いられる。ウェブログやニュースサイトなどニュース性の高いサイトでは、ＲＳＳによる更新情報の提供を行なっているものが多い。
【００５２】
ＲＳＳリーダーは、指定したサイトのＲＳＳ情報を一定時間ごとに自動的にダウンロードし、更新があると記事へのリンクを表示してユーザに知らせることとなる。このでのリンクがクリックされるとユーザＰＣにおけるＷＥＢブラウザのウィンドウが開いて目的の記事が表示される。
【００５３】
なお、これまで示した  情報閲覧支援装置１００における各機能部１１０〜１２１は、ハードウェアとして実現してもよいし、メモリやＨＤＤ（Ｈａｒｄ  Ｄｉｓｋ  Ｄｒｉｖｅ）などの適宜な記憶装置に格納したプログラムとして実現するとしてもよい。この場合、前記ＣＰＵ１０４がプログラム実行に合わせて記憶装置より該当プログラムをメモリ１０３に読み出して、これを実行することとなる。
【００５４】
また、前記ネットワーク１４０に関しては、インターネット、ＬＡＮの他、ＡＴＭ回線や専用回線、ＷＡＮ（Ｗｉｄｅ  Ａｒｅａ  Ｎｅｔｗｏｒｋ）、電灯線ネットワーク、無線ネットワーク、公衆回線網、携帯電話網、シリアル・インターフェース通信線など様々なネットワークを採用することも出来る。また、ＶＰＮ（Ｖｉｒｔｕａｌ  Ｐｒｉｖａｔｅ  Ｎｅｔｗｏｒｋ）など仮想専用ネットワーク技術を用いれば、インターネットを採用した際にセキュリティ性を高めた通信が確立され好適である。なお、前記シリアル・インターフェイスは、単一の信号線を用いて１ビットずつ順次データを送るシリアル伝送で、外部機器と接続するためのインターフェースを指し、通信方式としてはＲＳ−２３２Ｃ、ＲＳ−４２２、ＩｒＤＡ、ＵＳＢ、ＩＥＥＥ１３９４、ファイバ・チャネルなどが想定できる。
【００５５】
−−−データベース構造−−−
次に、本実施形態における情報閲覧支援装置１００が利用するデータベースの構造について説明する。図２は、本実施形態における、（ａ）テーマ情報データベース、（ｂ）登録コンテンツ管理情報データベース、（ｃ）閲覧者関連テーマ情報データベース、（ｄ）ユーザデータベース、（ｅ）閲覧履歴情報データベースの各データ構造例を示す図である。
【００５６】
前記テーマ情報データベース１２５は、キーワードで定義される所定テーマの情報を格納するデータベースであり、例えばテーマＩＤ或いは名称をキーとして、これに対応付けされたキーワードの情報を関連づけたレコードの集合体となっている。
【００５７】
また、登録コンテンツ管理情報データベース１２６は、前記新エントリの起源となるコンテンツエントリと、前記新エントリ登録先のコンテンツサーバ２５０と、該当テーマとの対応関係の情報を格納するデータベースであり、例えばコンテンツエントリの情報（ＵＲＬなど）をキーとして、テーマの情報を関連づけたレコードの集合体となっている。
【００５８】
また、閲覧者関連テーマ情報データベース１２７は、コンテンツの閲覧者と閲覧者毎に定めたテーマ情報との対応関係の情報を格納するデータベースであり、例えばユーザＩＤをキーとして、テーマの情報を関連づけたレコードの集合体となっている。
【００５９】
また、ユーザデータベース１２８は、閲覧者毎の識別情報が格納されたデータベースであり、例えばユーザＩＤをキーとして、ログイン用情報を関連づけたレコードの集合体となっている。
【００６０】
また、閲覧履歴情報データベース１２９は、閲覧者と該閲覧者が閲覧したコンテンツエントリの履歴との対応関係の情報を格納するデータベースであり、例えばユーザＩＤをキーとして、閲覧されたエントリ等の情報を関連づけたレコードの集合体となっている。
【００６１】
−−−処理フロー例１−−−
以下、本実施形態における情報閲覧支援方法の実際手順について、図に基づき説明する。なお、以下で説明する情報閲覧支援方法に対応する各種動作は、前記情報閲覧支援装置１００が、メモリ１０３に読み出して実行するプログラム１０２によって実現される。そして、このプログラム１０２は、以下に説明される各種の動作を行うためのコードから構成されている。
【００６２】
図３は、本実施形態における情報閲覧支援方法の処理フロー例１を示す図である。ここで、情報閲覧支援装置１００の情報収集部１１０は、ネットワーク１４０上に複数あるコンテンツサーバ２００より、定期的にコンテンツエントリやサマリー情報等を収集し、適宜なメモリ１０３に格納しているものとする（ｓ１０００）。
【００６３】
また、前記情報閲覧支援装置１００の第１の情報類似性判定部１１１は、前記情報収集部１１０が収集した前記コンテンツエントリまたはサマリー情報を、前記メモリ１０３より読み出して、前記テーマ情報データベース１２５における各テーマ情報と照合し（ｓ１００１）、両者の類似性を判断する（ｓ１００２）。
【００６４】
例えば、前記コンテンツサーバ２００がブログサーバであり、また、前記テーマ情報データベース１２５におけるテーマの１つが「上海」であり、この「上海」に紐付いたキーワードが「海鮮料理」、「万博」であったとする。この時、前記第１の情報類似性判定部１１１は、この「上海」と「海鮮料理」ないし「万博」とをアンド条件として、各コンテンツサーバ２００から収集しておいたメモリ１０３中のブログのエントリやサマリー情報との照合処理を行うこととなる。照合による類似性の判断処理としては、例えば、「上海」という単語と、「海鮮料理」または「万博」のいずれかとがセットで含まれるエントリやサマリー情報、或いは、「上海」という単語と「海鮮」という単語とがセットで含まれるエントリやサマリー情報については、「類似性あり」と判定する。
【００６５】
こうして「類似性あり」と判定されたエントリやサマリー情報は、前記情報閲覧支援装置１００のコンテンツ登録部１１２が、該当エントリまたはサマリー情報への参照用情報を含む新エントリを生成し（ｓ１００３）、これを該当テーマに対応付けされた所定のコンテンツサーバ２５０に登録する（ｓ１００４）。
【００６６】
前記の新エントリは、例えば、前記テーマ情報の「上海」について類似性ありと判定されたエントリないしサマリー情報について、説明文としてのエントリないしサマリー情報の一部（例：コンテンツ前半の所定テキスト数分）と、参照用情報（例：当該エントリないしサマリー情報へのアクセスを行う場合のネットワーク上でのアドレス）とを含むものとできる。つまり、この場合、前記テーマ情報「上海」について類似性ありと判定されたエントリないしサマリー情報の一部である、例えば「昨年上海に進出した▲▲チェーンが・・・」といったテキストデータと、エントリないしサマリー情報を格納しているコンテンツサーバ２００における、該当ファイルの格納先アドレスである、例えば「http://info.shanghai.com/blog/・・・」といったＵＲＬなどが、「上海」についてのテーマサーバ２５０に格納されるのである。
【００６７】
また、前記情報閲覧支援装置１００の登録コンテンツ管理部１１３は、前記新エントリの起源となるコンテンツエントリ（つまりコンテンツサーバ２００に格納されているコンテンツエントリ）と、前記新エントリ登録先のコンテンツサーバであるテーマサーバ２５０と、「上海」などといった該当テーマとの対応関係の情報を、登録コンテンツ管理情報データベース１２６に格納する（ｓ１００５）。
【００６８】
こうした、所定のテーマに沿ったエントリないしサマリー情報が、情報閲覧支援装置１００によりコンテンツサーバ２００から収集され、テーマサーバ２５０に蓄積されていくこととなる。
【００６９】
なお、前記テーマサーバ２５０は、テーマ毎に設けられるとしてもよいし、複数のテーマ毎に１つ設けられるとしてもよい。或いは、テーマサーバ２５０が情報閲覧支援装置１００と一体となっているとしてもよい。
【００７０】
また、前記情報閲覧支援装置１００における前記コンテンツ登録部１１２は、前記テーマに対応付けされた所定のコンテンツサーバ２５０の既存のエントリに対するトラックバックまたはコメントとして、前記情報収集部１１０が収集したコンテンツエントリまたはサマリー情報への参照用情報を、前記所定のコンテンツサーバ２５０に登録するものとしもよい。
【００７１】
−−−処理フロー例２−−−
図４は、本実施形態における情報閲覧支援方法の処理フロー例２を示す図である。また、前記情報閲覧支援装置１００の閲覧支援情報生成部１１４は、前記閲覧者関連テーマ情報データベース１２７と前記登録コンテンツ管理情報データベース１２６とに基づいて、前記閲覧者毎に定めたテーマと一致するテーマが関連づけされている前記テーマサーバ２５０を特定する（ｓ１００６）。そして、当該テーマサーバ２５０における前記参照用情報を抽出し、この参照用情報を少なくとも含んだ閲覧支援用の画面データを閲覧者毎に生成し（ｓ１００７）、これを適宜なメモリ１０３に格納する（ｓ１００８）。
【００７２】
例えば、ある閲覧者が定めたテーマが「上海」だとして、これに一致するテーマが関連づけされている「上海」についてのテーマサーバ２５０を情報閲覧支援装置１００が特定するのである。そして、当該「上海」についてのテーマサーバ２５０において登録されている新エントリが含む前記参照用情報や説明文などのデータを抽出し、これらの参照用情報等を含んだ閲覧支援用の画面データを閲覧者専用のブログポータルサイトとして生成する。
【００７３】
また、前記情報閲覧支援装置１００の閲覧者識別部１１５は、ネットワーク１４０で接続されたクライアント３００を通じた閲覧者からのログオン要求があった場合、このログオン要求が含む認証用の情報（ID、パスワードなど）と前記ユーザデータベース１２８とに基づき、閲覧者の識別処理を実行する（ｓ１００９）。またこのとき、情報閲覧支援装置１００の配信処理部１１６は、前記識別処理により識別された閲覧者について、前記メモリ１０３より該当する閲覧支援用画面データを抽出し（ｓ１０１０）、これを該当クライアント３００に配信する（ｓ１０１１）。
【００７４】
この時、情報閲覧支援装置１００からクライアント３００に配信される閲覧支援用画面データの例を図５（ａ）に示す。図に示す画面５００では、テーマ一覧エリア５１０にて、閲覧者“Ｂ”が設定している、テーマ１：「格安航空券」、テーマ２：「上海」、テーマ３：「食品産業」の情報が示されと共に、新エントリエリア５２０にて、これらのテーマについて情報閲覧支援装置１００がコンテンツサーバ２００から収集しテーマサーバ２５０に登録しておいた前記新エントリ、「昨年上海に進出した▲▲チェーンが初年度の販売実績を発表・・・」といった情報が示される。また、この画面５００では、新着情報エリア５３０を設けてあり、当該閲覧者“Ｂ”が未読である新エントリの存在有無をこのエリアにて情報提示する。画面５００における新着情報エリア５３０では、「新しい情報はありません」と新着の新エントリの存在が無いことを示しているから、前記新エントリエリア５２０にて示されている「昨年上海に進出した▲▲チェーンが初年度の販売実績を発表・・・」なる新エントリは、新着情報ではないと分かる。
【００７５】
他方、図５（ｂ）に示す閲覧者“Ａ”用の画面５５０のように、前記新着情報エリア５３０にて、「上海に新しいエントリがあります」、「乗用車に新しいエントリがあります」などと閲覧者“Ａ”が未読の新着の新エントリの存在が示されている場合もある。この場合は、閲覧者“Ａ”の前回ログオフ時以降に、情報閲覧支援装置１００が新エントリをテーマサーバ２５０に新たに登録したことを意味する。
【００７６】
前記閲覧者“Ａ”が、クライアント３００を通じて、前記画面５５０の前記新着情報エリア５３０の、例えば「上海」のハイパーテキスト表示をクリックしたとする（ｓ１０１２）。その場合、情報閲覧支援装置１００は、図６（ａ）の画面６００に示すように、新着情報エリア５３０にて表示していた「上海に新しいエントリがあります」のテキストを消去する一方で、新着の新エントリを前記「上海」のテーマサーバ２５０に要求し（ｓ１０１３）、これを前記新エントリエリア５２０にて表示する（ｓ１０１４）。
【００７７】
またさらに、前記閲覧者“Ａ”が、クライアント３００を通じて、前記画面５５０の前記新エントリエリア５２０の、例えば「最新」の新エントリである「昨年上海に進出した▲▲チェーンが初年度の販売実績を発表」に対応するＵＲＬのハイパーテキスト表示をクリックしたとする（ｓ１０１５）。その場合、情報閲覧支援装置１００は、図６（ｂ）の画面６５０に示すように、前記ＵＲＬに対応するコンテンツサーバ２００に該当コンテンツエントリを要求して取得し（ｓ１０１６）、これを前記新エントリエリア５２０にて表示する（ｓ１０１７）。
【００７８】
−−−処理フロー例３−−−
図７は、本実施形態における情報閲覧支援方法の処理フロー例３を示す図である。また、前記情報閲覧支援装置１００のキーワード抽出部１１７は、前記閲覧履歴情報データベース１２９の履歴情報（例：閲覧者“Ａ”がコンテンツエントリαを閲覧、といった情報）から識別されるコンテンツエントリ（例：コンテンツエントリα）から、当該コンテンツエントリに含まれるキーワード（例：上海）を抽出する（ｓ１０１８）。
【００７９】
またこのとき、情報閲覧支援装置１００の第２の情報類似性判定部１１８は、前記テーマ情報データベース１２５における各テーマ情報のキーワード（例：上海、海鮮料理、食品産業など）と、前記コンテンツエントリより抽出したキーワード（例：上海）とを照合し、その類似性を判定する（ｓ１０１９）。前記コンテンツαが「上海」のキーワードを含み、またテーマ情報データベース１２５におけるテーマ情報「上海」のキーワードが「食品産業」を含む場合、両者は何らかの類似の関係があるとみる。
【００８０】
また、情報閲覧支援装置１００のテーマ自動登録部１１９は、「上海」や「食品産業」といった前記キーワード同士に類似性があると判定された場合、類似性があると判定されたキーワードに対応するテーマ「上海」と前記閲覧者“Ａ”との関連を前記閲覧者関連テーマ情報データベース１２７に登録する（ｓ１０２０）。
【００８１】
−−−処理フロー例４−−−
図８は、本実施形態における情報閲覧支援方法の処理フロー例４を示す図である。ここで、前記閲覧者関連テーマ情報データベース１２７が、コンテンツの閲覧者および閲覧者の特性情報と閲覧者毎に定めたテーマ情報と、の対応関係の情報を格納するものであるとする。
【００８２】
このとき、情報閲覧支援装置１００の特性情報登録部１２０は、前記クライアント３００に配信された閲覧支援用画面データを通じて閲覧者“Ａ”が前記テーマサーバ２５０のコンテンツを要求した場合、該当コンテンツを前記所定のコンテンツサーバ２００から収集し、閲覧者“Ａ”のクライアント３００に配信するとともに、前記閲覧者関連テーマ情報データベース１２７から抽出した前記閲覧者“Ａ”の特性情報を含む情報を、前記閲覧者“Ａ”が要求したコンテンツを管理する前記テーマサーバ２５０において、前記コンテンツに対応する新エントリに付帯させて登録する（ｓ１０２１）。
【００８３】
なお、前記テーマサーバ２５０に登録する閲覧者“Ａ”の特性情報としては、当該閲覧者“Ａ”のメールアドレスなどの連絡先、閲覧者“Ａ”に対応付けされたテーマ（例：乗用車）の情報、閲覧者“Ａ”の閲覧履歴から抽出されたキーワード、などを含むものを想定できる。
【００８４】
図９（ａ）に示す閲覧者“Ｂ”用の画面９００の例では、情報閲覧支援装置１００は、新着情報エリア５３０にて「上海に新着コメントがあります」との情報を提示している。そこで前記閲覧者“Ｂ”が、クライアント３００を通じて、前記画面９００の前記新着情報エリア５３０の、例えば「上海」のハイパーテキスト表示をクリックしたとする（ｓ１０２２）。その場合、情報閲覧支援装置１００は、図９（ｂ）の画面９５０に示すように、新着情報エリア５３０にて表示していた「上海に新しいコメントがあります」のテキストを消去する一方で、前記閲覧者“Ａ”が前記コンテンツを閲覧した旨を示す「Ａさんが関心を持っているようです」といったコメント５２５を、「上海」に対応する前記テーマサーバ２５０より取得し、該当新エントリに付帯させてクライアント３００に提示する（ｓ１０２３）。
【００８５】
−−−処理フロー例４−−−
図１０は、本実施形態における情報閲覧支援方法の処理フロー例４を示す図である。また、前記情報閲覧支援装置１００の第３の情報類似性判定部１２１は、前記テーマサーバ２５０の新エントリを収集し、該テーマサーバ２５０の複数の新エントリ間の類似性を、例えば、各新エントリに含まれる参照用情報の一致／不一致、各新エントリに登録された閲覧者の特性情報の一致／不一致といった照合を行って判定するものとできる（ｓ１０３０）。
【００８６】
情報閲覧支援装置１００のコンテンツ登録部１１２は、前記新エントリ間に類似性があると判定された場合に、当該複数の新エントリα、β・・・のそれぞれへの参照用情報を含む新エントリγを生成し（ｓ１０３１）、これをテーマサーバ２５０に登録する（ｓ１０３２）。
【００８７】
図１１の画面１１００に示す例で、情報閲覧支援装置１００は、前記新エントリエリア５２０にて、テーマ「上海」について、高い関連性を有するエントリに共通して含まれる単語群を共通語群５６０として、例えば“上海”、“幹部”、“工場”、“視察”、“孫”として示している。この場合、情報閲覧支援装置１００は、各新エントリが含む単語に着目してその類似性を判断したのである。また、類似性があると判定した新エントリ群については、それらの参照用情報であるＵＲＬの一覧としてリンク集５６５を提示している。
【００８８】
このように、同じテーマ「上海」に関係する新エントリの中でも、エントリを構成する単語の共通性(共通する単語(名詞)の数)の割合が予め定めた閾値より大きい新エントリを集約し、リンク集を新エントリγとして情報閲覧支援装置１００が生成してクライアント３００に提供することができる。この場合、閲覧者には、似ている記事をまとめて見ることができ、幅広い情報を一度に得ることできるといった利点がある。
【００８９】
本発明によれば、良好な処理効率とユーザにおける処理の簡便さとを図り、ユーザ間の情報共有やコミュニケーションの活性化が支援可能となる。
【００９０】
以上、本発明の実施の形態について、その実施の形態に基づき具体的に説明したが、これに限定されるものではなく、その要旨を逸脱しない範囲で種々変更可能である。
【図面の簡単な説明】
【００９１】
【図１】本実施形態における情報閲覧支援装置を含むネットワーク構成図である。
【図２】本実施形態における、（ａ）テーマ情報データベース、（ｂ）登録コンテンツ管理情報データベース、（ｃ）閲覧者関連テーマ情報データベース、（ｄ）ユーザデータベース、（ｅ）閲覧履歴情報データベースの各データ構造例を示す図である。
【図３】本実施形態における情報閲覧支援方法の処理フロー例１を示す図である。
【図４】本実施形態における情報閲覧支援方法の処理フロー例２を示す図である。
【図５】本実施形態における閲覧支援用画面データの例１、２を示す図である。
【図６】本実施形態における閲覧支援用画面データの例３、４を示す図である。
【図７】本実施形態における情報閲覧支援方法の処理フロー例３を示す図である。
【図８】本実施形態における情報閲覧支援方法の処理フロー例４を示す図である。
【図９】本実施形態における閲覧支援用画面データの例５、６を示す図である。
【図１０】本実施形態における情報閲覧支援方法の処理フロー例５を示す図である。
【図１１】本実施形態における閲覧支援用画面データの例７を示す図である。
【符号の説明】
【００９２】
１００…情報閲覧支援装置
１０１…プログラムデータベース
１０２…プログラム
１０３…メモリ
１０４…ＣＰＵ
１０５…入出力インターフェイス
１０６…通信部
１０７…Ｉ／Ｏ部
１１０…情報収集部
１１１…第１の情報類似性判定部
１１２…コンテンツ登録部
１１３…登録コンテンツ管理部
１１４…閲覧支援情報生成部
１１５…閲覧者識別部
１１６…配信処理部
１１７…キーワード抽出部
１１８…第２の情報類似性判定部
１１９…テーマ自動登録部
１２０…特性情報登録部
１２１…第３の情報類似性判定部
１２５…テーマ情報データベース
１２６…登録コンテンツ管理情報データベース
１２７…閲覧者関連テーマ情報データベース
１２８…ユーザデータベース
１２９…閲覧履歴情報データベース
１４０…ネットワーク
２００…コンテンツサーバ
２５０…所定のコンテンツサーバ（テーマサーバ）
３００…クライアント
【図２】
2007122504.tif 000003
【図３】
2007122504.tif 000004
【図４】
2007122504.tif 000005
【図５】
2007122504.tif 000006
【図６】
2007122504.tif 000007
【図７】
2007122504.tif 000008
【図８】
2007122504.tif 000009
【図９】
2007122504.tif 000010
【図１０】
2007122504.tif 000011
【図１１】
2007122504.tif 000012
【図１】
2007122504.tif 000013